(57)【要約】【課題】  高天井の室で、塵埃を嫌う生産設備の稼働中であっても風量調節や風向調節が可能な点検口付吹出口装置を提供する。【解決手段】  箱状の本体２と、本体２の一側面部２ａに配設され、ダクトＤと接続可能で、本体２の内側から操作可能な風量調節用ダンパ３１を有するダクト接続口３と、本体２の底面部２ｂに配設され、本体２の内側から操作可能な可動羽根４１を有する吹出口４と、本体２の他側面部２ｃに配設され、開閉自在な蓋５１を有する点検口５と、を備えることを特徴とする。【選択図】  図４
2015152212.tif 000002
【特許請求の範囲】
【請求項１】
箱状の本体と、
前記本体の一側面部に配設され、ダクトと接続可能で、前記本体の内側から操作可能な風量調節用ダンパを有するダクト接続口と、
前記本体の底面部に配設され、前記本体の内側から操作可能な可動羽根を有する吹出口と、
前記本体の他側面部に配設され、開閉自在な蓋を有する点検口と、
を備えることを特徴とする点検口付吹出口装置。
【請求項２】
前記点検口付吹出口装置は、天井パネルの上側に配設される、
ことを特徴とする請求項１に記載の点検口付吹出口装置。
【請求項３】
箱状の本体と、
前記本体の一側面部に配設され、ダクトと接続可能で、前記本体の内側から操作可能な風量調節用ダンパを有するダクト接続口と、
前記本体の底面部に配設され、前記本体の内側から操作可能な可動羽根を有する吹出口と、
前記本体の他側面部に配設され、開閉自在な蓋を有する点検口と、
を備える点検口付吹出口装置の調節方法であって、
前記点検口の前記蓋を取り外した開口部から、前記ダクト接続口の前記風量調節用ダンパによって風量を調節し、前記吹出口の前記可動羽根によって風向を調節する、
ことを特徴とする点検口付吹出口装置の調節方法。
【請求項４】
前記点検口付吹出口装置は、天井パネルの上側に配設されており、
点検口付吹出口装置の調節は、天井パネル上で行う、
ことを特徴とする請求項３に記載の点検口付吹出口装置の調節方法。
【発明の詳細な説明】
【技術分野】
【０００１】
この発明は、空調設備が高天井の建造物に設置されており、塵埃を嫌う生産設備などが稼働中であっても、風量調節や風向調節が可能な点検口付吹出口装置に関する。
【背景技術】
【０００２】
空調設備は、設置された建造物の室の使用目的に応じて、適切な温度や湿度の調節空気を供給するために、目的に適した空調機器を組み合わせて使用される。空調機器のひとつに室内へ調和空気を吹き出す器具である吹出口がある。吹出口は、室の天井、壁、床面などに配設されて、接続されたダクトから調和空気を室全体または所定の場所に供給して、室内の温度や湿度などを均一に維持するものであり、吹出方向が調節可能となっている。天井に配設する吹出口には、例えば、ノズル型吹出口、アネモ型吹出口、グリル型吹出口などがあり、下方から羽根や軸を動かすことにより吹出方向の調節が可能となっている。
【０００３】
ノズル型吹出口は、気流の到達距離が大きく、空気を撹拌することができるので高天井の室に適しているが、対象となる室が気流の力や、空気の大きな流動を嫌う場合には、設置することができない。アネモ型吹出口は、天井の下方から吹出方向が調節できるが、保守員（作業者）は上向き作業を強いられ、また、高天井の室の場合は、足場や高所作業車の搬入が必要となる。グリル型吹出口のひとつであるレジスタ型吹出口は、シャッタを有しているが事情は同様である。
【０００４】
ところで、精密機械の加工室のように、高天井で、塵埃を嫌う生産設備が配設された室の場合には、断熱材を含んで形成された天井パネルを貼り、天井裏のメンテナンスエリアと、生産エリアとが分けられる。そして、メンテナンスエリアには空調設備などが設置され、生産エリア内には生産設備などが設置されて、生産エリア内を塵埃の少ない状態に保持する。
【０００５】
このような室において吹出口を天井に配設した場合は、風量調節や風向調節のために生産エリアに足場や高所作業車を搬入する必要があるが、塵埃を嫌う生産設備の稼働中は、外部からの機材の搬入には細心の注意を要する。また、吹出口下方に生産設備などが設置されると、風量調節や風向調節が困難となる。
【０００６】
ところで、天井板を先に施工した後に施工可能な吹出し口取付け用チャンバ及びその施工方向に関する技術が知られている（例えば、特許文献１参照。）。この技術は、ダンパとの接続口である第１開口部内にダンパを有している。また、天井面より機内のメンテナンス作業を行える天井設置型空気調和装置に関する技術が知られている（例えば、特許文献２参照。）。この技術は、吹出チャンバの下方及び天井の開口部を点検口として形成したものである。さらに、高天井の室においてフィルターの交換作業又は点検作業などをする場合に、簡便に作業ができるフィルター脱着装置に関する技術が知られている（例えば、特許文献３参照。）。この技術は、フィルターに吸着面を有する被磁性体を配設し、磁性体を有する操作棒によって遠隔操作する。
【先行技術文献】
【特許文献】
【０００７】
【特許文献１】特開平２０００−０３９２０４号公報
【特許文献２】実公平０７−０３７０７１号公報
【特許文献３】特開平２００３−３４３９０５号公報
【発明の概要】
【発明が解決しようとする課題】
【０００８】
しかしながら、特許文献１に記載の技術は、高天井の室においては、風量調節や風向調節が困難なものである。また、特許文献２に記載の技術は、吹出口を取り外して、天井面より機内のメンテナンスが可能となるため、塵埃を嫌う生産設備の稼働中は、適用することができない。さらに、特許文献３に記載の技術は、機器の下方の床面から操作棒によって遠隔操作するものであるため、生産エリア内の機器の下方に生産設備などが設置されている場合には、適用することができない。
【０００９】
また、生産エリア内の生産設備などのレイアウトが未定の場合や、レイアウトが変更された場合には、生産設備の稼働中であっても風量調節や風向調節が必要となる。
【００１０】
そこで、この発明は、前記の課題を解決し、高天井の室で、塵埃を嫌う生産設備の稼働中であっても風量調節や風向調節が可能な点検口付吹出口装置を提供することを目的としている。
【課題を解決するための手段】
【００１１】
前記の課題を解決するために、請求項１の発明は、空気を吹き出す点検口付吹出口装置であって、箱状の本体と、前記本体の一側面部に配設され、ダクトと接続可能で、前記本体の内側から操作可能な風量調節用ダンパを有するダクト接続口と、前記本体の底面部に配設され、前記本体の内側から操作可能な可動羽根を有する吹出口と、前記本体の他側面部に配設され、開閉自在な蓋を有する点検口と、を備えることを特徴とする点検口付吹出口装置である。
【００１２】
この発明によれば、前記点検口の前記蓋を取り外した開口部から、前記ダクト接続口の前記風量調節用ダンパが調節され、前記吹出口の前記可動羽根が調節される。
【００１３】
請求項２の発明は、請求項1に記載の点検口付吹出口装置において、前記点検口付吹出口装置は、天井パネルの上側に配設される、ことを特徴とする。
【００１４】
請求項３の発明は、箱状の本体と、前記本体の一側面部に配設され、ダクトと接続可能で、前記本体の内側から操作可能な風量調節用ダンパを有するダクト接続口と、前記本体の底面部に配設され、前記本体の内側から操作可能な可動羽根を有する吹出口と、前記本体の他側面部に配設され、開閉自在な蓋を有する点検口と、を備える点検口付吹出口装置の調節方法であって、前記点検口の前記蓋を取り外した開口部から、前記ダクト接続口の前記風量調節用ダンパによって風量を調節し、前記吹出口の前記可動羽根によって風向を調節する、ことを特徴とする点検口付吹出口装置の調節方法である。
【００１５】
請求項４の発明は、請求項３に記載の点検口付吹出口装置の調節方法において、前記点検口付吹出口装置は、天井パネルの上側に配設されており、点検口付吹出口装置の調節は、天井パネル上で行う、ことを特徴とする。
【発明の効果】
【００１６】
請求項１、３に記載の発明によれば、点検口の蓋を取り外した開口部から、ダクト接続口の風量調節用ダンパが調節され、吹出口の可動羽根が調節されるので、風量調節や風向調節が容易である。点検口から本体内に手を挿入すれば、本体の一側面部側において風量が調節可能で、底面部側において風向が調節可能である。
【００１７】
また、点検口付吹出口装置の点検口から風量や風向を調節し、調節作業を下方から行わないため、吹出口下方に生産設備が設置されたとしても、支障なく調節できる。
【００１８】
請求項２、４に記載の発明によれば、高天井の室で、塵埃を嫌う生産設備の稼働中であっても風量調節や風向調節ができる。天井パネルの上側で風量や風向が調節できるので、高天井の室であっても足場や高所作業車が不要である。また、天井パネルの上側において風量や風向を調節するので、吹出口下方に生産設備が設置されたとしても、支障なく調節できる。
【００１９】
さらに、天井パネルの上側において風量や風向を調節し、生産設備の設置エリアへの入室が不要なので、調節作業が容易となり、生産へ与える影響を最小限にすることができる。
【図面の簡単な説明】
【００２０】
【図１】本発明の実施の形態に係る点検口付吹出口装置を示す斜視図である。
【図２】図１の点検口付吹出口装置を示す正面図である。
【図３】図１の点検口付吹出口装置を示す断面図である。
【図４】図１の点検口付吹出口装置の内部を示す図である。
【図５】図１の点検口付吹出口装置が設置された建造物を示す概略図である。
【発明を実施するための形態】
【００２１】
図１ないし図５は、この発明の実施の形態を示している。点検口付吹出口装置１は、図１に示すように、空気調和設備のダクトＤに接続され、調和空気を室内に供給するものであり、主として、本体２と、ダクト接続口３と、吹出口４と、点検口５を有している。この実施の形態において、点検口付吹出口装置１は、天井高１０数ｍの精密機械の加工室（生産エリア）Ａ１に調和空気を供給するものとし、図５に示すように、天井パネルＰ上の天井裏（メンテナンスエリア）Ａ２に固定される。ここでは、生産エリアＡ１には、振動と温度変動を嫌う大型の加工機や研磨機などの生産設備が設置されている。
【００２２】
本体２は、箱状のチャンバ（消音ボックス）であり、内周面に断熱材・吸音材が貼付されている。具体的には、本体２の内周面部には、例えば、グラスウールをガラスクロスなどの表面保護材で包み飛散防止処理を施した断熱材・吸音材が貼付されており、他側面部２ｃの点検口５は折り返しされている。図１ないし図４に示すように、本体２の一側面部２ａには、ダクト接続口３と接続するための、フランジ付きの第１の開口（図示略）が形成され、底面部２ｂには、吹出口４と接続するための第２の開口（図示略）が形成され、他側面部２ｃには、後述する点検口５が形成されている。本体２は、吊ボルト２１によって、天井パネルＰ上に固定され、その吊元は、天井内を縦横に渡したＨ鋼（その吊元は天井スラブ）から吊下げられて支持される。
【００２３】
ダクト接続口３は、図１ないし図４に示すように、本体２の一側面部２ａに配設され、ダクトＤと接続されている。その近傍のチャンバ側に、図２ないし図４に示すように、本体２の内側から手動で操作可能な風量調節用ダンパ３１を有している。風量調節用ダンパ３１は、図２、図３に示すように、ダクト接続口３に対して角度調節自在な羽根３１ａと、羽根３１ａを操作するための操作軸３１ｂを有している。操作軸３１ｂは、図４に示すように、本体２側に位置するように配設されている。そして、本体２の内側から操作軸３１ｂを介して羽根３１ａの角度を調節することによって、ダクト接続口３の開度が調節自在であり、風量を調節するようになっている。具体的には、羽根３１ａをダクト接続口３に対して傾倒させると（ダクトＤの軸方向に直交させると）、ダクト接続口３は閉塞し、羽根３１ａをダクト接続口３に対して起立させると（ダクトＤの軸方向に沿わせると）、ダクト接続口３は開放する。
【００２４】
吹出口４は、図１ないし図４に示すように、本体２の底面部２ｂに配設され、本体２の内側から手動で操作可能な格子状の可動羽根４１を有するユニバーサル型グリル（縦と横に羽根があるＶＨ型）であり、その大きさは７００ｍｍ×７００ｍｍの正方形状である。この吹出口４は、図３、図４に示すように、風量調節用のシャッタを有していない。シャッタを有していないのは、風切り防止と、可動羽根４１の操作性を向上させるためであり、ダクト接続口３の風量調節用ダンパ３１によって風量調節するものとしたためである。そして、本体２の内側から可動羽根４１の角度を直接、調節することによって、風向を調節するようになっている。
【００２５】
点検口５は、図１、図２に示すように、本体２の他側面部２ｃに配設され、開閉自在な蓋５１を有するものである。点検口５は、図３、図４に示すように、他側面部２ｃの一部に形成されており、開口部から本体２内部に手を挿入して、ダクト接続口３の風量調節用ダンパ３１や吹出口４の可動羽根４１を調節可能な大きさに設定されている。蓋５１は、４つの蝶ネジによって着脱自在に固定されており、蓋５１を取り外すと、点検口５から本体２内部に手を挿入可能となり、本体２の全面部に対して手が届くようになっている。また、蓋５１の内周面部には、例えば、ペフのような断熱材が、蓋５１の着脱時に本体２の内周面に貼付された断熱材・吸音材と接触して飛散しないように貼付されている。
【００２６】
このような構成の点検口付吹出口装置１は、図５に示すように、天井パネルＰの上側に固定され、吊ボルト２１を介して天井スラブ（図示略）に支持される。
【００２７】
次に、このような構成の点検口付吹出口装置１における風向や風量の調節方法および作用について説明する。
【００２８】
作業者Ｍ２は、生産エリアＡ１の生産設備の近傍に位置しており、点検口付吹出口装置１から供給された風量や風速が、生産設備の近傍で所望の風量や風速となっているか否かを確認する。作業者Ｍ１は、メンテナンスエリアＡ２に位置しており、点検口付吹出口装置１の風量や風速を調節する。この作業者Ｍ１と作業者Ｍ２は、相互に通信可能な無線機を携帯し、連絡を取りながら調節作業を行う。
【００２９】
まず、メンテナンスエリアＡ２の作業者Ｍ２によって、点検口付吹出口装置１の点検口５の蓋５１が取り外される。この際、天井パネルＰとして耐荷重８０ｋｇ／ｍ２のサンドイッチパネルを使用すると、作業者Ｍ１の着座作業が可能になる。または天井パネルＰを吊るための鋼材に乗って作業してもよい。
【００３０】
そして、点検口５から本体２内部に手が挿入されて、本体２の一側面部２ａの風量調節用ダンパ３１の操作軸３１ｂが操作されて、ダクト接続口３の開度が調節され、風量が調節される。また、底面部２ｂの吹出口４の可動羽根４１の操作で角度が調節されて、風向が調節される。また、生産エリアＡ１とメンテナンスエリアＡ２は区分けされているので、生産エリアＡ１においては、塵埃を嫌う生産設備が稼働中であっても影響がない。
【００３１】
そして、作業者Ｍ２は、作業者Ｍ１と連絡を取り合って、生産設備の近傍で所望の風量や風速となっているか否かが確認されて、風量や風向が調節される。調整連絡の間、作業者Ｍ２は、給気を天井裏に逃げないように、点検口５の蓋５１をチャンバ開口に沿って抑えておく。
【００３２】
そして、風量や風向が適正に調節されると、作業者Ｍ２によって、点検口５に蓋５１が蝶ネジによる手止めにて取り付けられる。
【００３３】
以上のように、この実施の形態に係る発明によれば、蓋５１を取り外した点検口５から本体２内に手が挿入されて、手動で、ダクト接続口３の風量調節用ダンパ３１と、吹出口４の可動羽根４１とが調節されるので、風量調節や風向調節が容易である。点検口５から本体２内に手を挿入すれば、本体２の一側面部２ａ側において風量が調節可能で、底面部２ｂ側において風向が調節可能である。
【００３４】
また、生産エリアＡ１とメンテナンスエリアＡ２は天井パネルＰによって区分けされており、メンテナンスエリアＡ２において風量も風向も調節できるので、高天井の室であっても調節が容易である。調節作業を生産エリアＡから行わないので、高天井の室であっても足場や高所作業車が不要である。また、メンテナンスエリアＡ２において風量や風向を調節するので、吹出口４の下方の生産エリアＡ１内に生産設備が設置されたとしても、支障なく調節できる。しかも、生産エリアＡ１のレイアウト変更にも対応することが容易である。
【００３５】
さらに、調節作業時に生産エリアＡ１への入室が不要なので、作業が容易となり、生産へ与える影響を最小限にすることができる。生産エリアＡ１において、塵埃を嫌う生産設備が稼働中であっても、風量や風向を調節できる。
【００３６】
さらに、エアハンドリングユニットを稼働して通気された状態のままであっても、風量や風向を調節できる。
【００３７】
さらにまた、この吹出口４は、ユニバーサル型グリルが通常有する風量調節用のシャッタを有していないので、風切音の発生を抑制し、微妙な風量調節が可能となる。
【００３８】
以上、この発明の実施の形態について説明したが、具体的な構成は、上記の実施の形態に限られるものではなく、この発明の要旨を逸脱しない範囲の設計の変更等があっても、この発明に含まれる。例えば、吹出口４の可動羽根４１は、羽根が垂直なＶ型、水平なＨ型、羽根が二重に配設され垂直と水平と両方を有するＶＨ型、ＨＶ型のいずれであってもよいことはもちろんである。
【符号の説明】
【００３９】
１              点検口付吹出口装置
２              本体
２ａ            一側面部
２ｂ            底面部
２ｃ            他側面部
２１            吊ボルト
３              ダクト接続口
３１            風量調節用ダンパ
４              吹出口
４１            可動羽根
５              点検口
５１            蓋
Ｐ              天井パネル
Ｃ              天井クレーン
Ｄ              ダクト
Ｍ              生産設備
Ａ１            生産エリア
Ａ２            メンテナンスエリア
【図１】
2015152212.tif 000003
【図２】
2015152212.tif 000004
【図３】
2015152212.tif 000005
【図４】
2015152212.tif 000006
【図５】
2015152212.tif 000007